(57)【要約】【課題】従来よりも良好なグリップ感が得られるグリップ部を有する電子機器を提供する【解決手段】本発明に係るグリップ部を有する電子機器において、グリップ部２の表面は、弾性材料からなる表層部材３によって覆われ、該表層部材３の内面には、グリップ部２の表面に向けて突出する複数の凸部３２が形成されている。表層部材３は、表面が露出した表皮部３１を具え、表皮部３１の内面に前記複数の凸部３２が突設され、各凸部３２の先端がグリップ部２の表面に当接し、これら複数の凸部３２の間に複数の空間部３３が形成されている。【選択図】図４
2013250417.tif 000002
【特許請求の範囲】
【請求項１】
グリップ部を有する電子機器において、前記グリップ部の表面は、弾性材料からなる表層部材によって覆われ、該表層部材の内面には、グリップ部の表面に向けて突出する複数の凸部が形成されていることを特徴とする、グリップ部を有する電子機器。
【請求項２】
前記表層部材は、表面が露出した表皮部を具え、該表皮部の内面に前記複数の凸部が突設され、各凸部の先端がグリップ部の表面に当接し、これら複数の凸部の間に複数の空間部が形成されている請求項１に記載の電子機器。
【請求項３】
前記表層部材は、表面が露出した表皮部を具え、該表皮部の内面に複数の空間部が凹設され、これら複数の空間部の間に前記複数の凸部が形成され、各凸部の先端がグリップ部の表面に当接している請求項１に記載の電子機器。
【請求項４】
前記表層部材は、前記複数の凸部が配置されている第１領域と、前記複数の凸部が配置されていない第２領域とを有し、第１領域の表面に、前記グリップ部を把持する手の指先を接触させることが可能である請求項１乃至請求項３の何れかに記載の電子機器。
【請求項５】
前記表層部材の複数の凸部はそれぞれリブ状に形成されて、これらの凸部は、前記グリップ部を把持する手の複数本の指に沿って伸びており、隣接する２つの凸部の間を繋ぐ表皮部領域に、１本の指を接触させることが可能である請求項１乃至請求項４の何れかに記載の電子機器。
【発明の詳細な説明】
【技術分野】
【０００１】
本発明は、デジタルカメラやビデオカメラの如くグリップ部を有する電子機器に関するものである。
【背景技術】
【０００２】
従来、この種の電子機器においては、機器本体の端部に設けられたグリップ部の表面を、種々の材質からなる外装材で覆うことが提案されている(例えば特許文献１参照)。
この様な電子機器によれば、機器本体のグリップ部を把持した状態で、外装材の表面に手の内面が接触するので、滑り止め効果やクッション効果が得られる。
【先行技術文献】
【特許文献】
【０００３】
【特許文献１】特開２００５−２０９７２５号公報
【発明の概要】
【発明が解決しようとする課題】
【０００４】
グリップ部の表面を外装材で覆った従来の電子機器においては、外装材が中実構造であり、その厚さと弾性係数で弾性変形量が決まるので、必要な弾性変形量を確保するために、外装材として弾性係数の小さな材質を採用し、且つ外装材を厚く形成することが必要となる。
【０００５】
しかしながら、外装材の厚さの増大には限界があるために、弾性係数の小さな材質を採用すると、外装材全体が過度に柔らかくなり、グリップ感が悪くなる問題があった。
【０００６】
そこで本発明の目的は、従来よりも良好なグリップ感が得られるグリップ部を有する電子機器を提供することである。
【課題を解決するための手段】
【０００７】
本発明に係る電子機器は、グリップ部の表面が、弾性材料からなる表層部材によって覆われ、該表層部材の内面には、グリップ部の表面に向けて突出する複数の凸部が形成されている。
【０００８】
具体的には、前記表層部材は、表面が露出した表皮部を具え、該表皮部の内面に前記複数の凸部が突設され、各凸部の先端がグリップ部の表面に当接し、これら複数の凸部の間に複数の空間部が形成されている。
【０００９】
或いは、前記表層部材は、表面が露出した表皮部を具え、該表皮部の内面に複数の空間部が凹設され、これら複数の空間部の間に前記複数の凸部が形成され、各凸部の先端がグリップ部の表面に当接している。
【００１０】
上記本発明の電子機器によれば、表層部材の表皮部は、複数の凸部によりグリップ部の表面上に支持されて、グリップ部の表面に沿って張設された状態を維持する。
この状態で、機器本体のグリップ部を手で把持すると、表層部材の表面が手の内面で押圧され、表層部材は、厚さが小さくなる方向に弾性変形する。ここで、表層部材の表皮部は主に屈曲変形し、複数の凸部は主に圧縮変形することになる。
【００１１】
従って、表層部材の弾性変形は、表皮部の屈曲変形と複数の凸部の圧縮変形とが重畳し、特に表皮部の屈曲変形量が比較的大きいために、表層部材は、適度な大きさの弾性係数を有する弾性材料から形成した場合でも、グリップ部の把持に応じて十分に弾性変形し、これによって良好なグリップ感が得られる。
【００１２】
具体的態様において、前記表層部材は、前記複数の凸部が配置されてこれらの凸部と前記表皮部とからなる第１領域と、前記複数の凸部が配置されることなく前記表皮部のみからなる第２領域とを有し、第１領域の表面に、前記グリップ部を把持する手の指先が接触することとなる。
該具体的態様によれば、表層部材の第１領域の表面に、グリップ部を把持する手の指先が接触することにより、該第１領域が指先の押圧に応じて十分に弾性変形し、指先に十分な引っ掛かりが得られる。
【００１３】
更に具体的な態様において、前記表層部材の複数の凸部はそれぞれリブ状に形成されて、これらの凸部は、前記グリップ部を把持する手の複数本の指に沿って伸びており、隣接する２つの凸部の間を繋ぐ表皮部領域に、１本の指が接触することなる。
該具体的態様によれば、表層部材が、グリップ部を把持する手の複数本の指の形状に沿って波状に弾性変形するので、良好なフィット感が得られる。
【発明の効果】
【００１４】
本発明に係るグリップ部を有する電子機器によれば、従来よりも良好なグリップ感が得られる。
【図面の簡単な説明】
【００１５】
【図１】図１は、本発明の一実施形態であるデジタルカメラの斜視図である。
【図２】図２は、該デジタルカメラから表層部材を取り外した状態を示す斜視図である。
【図３】図３は、表層部材の背面側を示す斜視図である。
【図４】図４は、表層部材の弾性変形を説明する断面図である。
【図５】図５は、本発明の他の実施形態であるデジタルカメラの斜視図である。
【図６】図６は、該デジタルカメラから表層部材を取り外した状態を示す斜視図である。
【図７】図７は、表層部材の背面側を示す斜視図である。
【図８】図８は、表層部材の他の実施形態を表わす図である。
【発明を実施するための形態】
【００１６】
以下、本発明をデジタルカメラに実施した形態につき、図面に沿って具体的に説明する。
本発明の一実施形態であるデジタルカメラにおいては、図１及び図２に示す如く、機器本体(１)の端部に、把持に好適な形状を有するグリップ部(２)が設けられており、該グリップ部(２)を片手で把持することによって、機器本体(１)を安定した姿勢に保持することが出来る。
【００１７】
機器本体(１)のグリップ部(２)の表面には、エラストマー等の合成樹脂製の表層部材(３)が貼着固定されている。表層部材(３)は、機器本体(１)のグリップ部(２)の略全周を包囲する屈曲形状を有している。
ここで、機器本体(１)のグリップ部(２)には、グリップ部(２)を把持する手の指先に対応する位置に、輪郭が矩形の凹部(21)が形成されており、該凹部(21)は表層部材(３)の端部によって覆われる。
【００１８】
表層部材(３)は、図３に示す如く、表面が露出することとなる均一厚さの表皮部(31)と、前記グリップ部(２)の凹部(21)を覆うべき表皮部(31)の内面領域に突設された複数の凸部(32)とから構成されている。
複数の凸部(32)はそれぞれリブ状に形成され、これらの凸部(32)は、互いに間隔をおいて機器本体(１)の左右方向へ平行に伸びている。ここで、互いに隣接する２つの凸部(32)(32)の間隔は、指１本の太さと略同等の大きさを有している。
【００１９】
図４(ａ)に示す如く、グリップ部(２)の表面に表層部材(３)が貼着固定された状態で、表層部材(３)の複数の凸部(32)の先端は、グリップ部(２)の凹部(21)の底面に当接しており、これらの凸部(32)の間には、複数の空間部(33)が形成されている。
ここで、表層部材(３)の表皮部(31)は、複数の凸部(32)によりグリップ部(２)の表面上に支持されて、グリップ部(２)の表面に沿って張設された状態にある。
【００２０】
この状態で、表層部材(３)の表皮部(31)の表面に複数本の指Ｆを添えて、グリップ部(２)を把持すると、表層部材(３)の表面が手の内面で押圧され、表層部材(３)は、厚さが小さくなる方向に弾性変形する。
【００２１】
図４(ｂ)に示す様に、表層部材(３)の複数の凸部(32)が形成されている領域では、隣接する２つの凸部(32)(32)の間を繋ぐ表皮部(31)が指先により押圧されて指に沿って屈曲変形すると共に、複数の凸部(32)は指先からの押圧力を受けて、高さが低くなる方向に圧縮変形することになる。
【００２２】
従って、表層部材(３)の弾性変形は、表皮部(31)の屈曲変形と複数の凸部(32)の圧縮変形とが重畳し、特に表皮部(31)の屈曲変形量が比較的大きいために、表層部材(３)は、比較的大きな弾性係数を有するエラストマーから形成した場合でも、グリップ部(２)の把持に応じて十分に弾性変形し、これによって良好なグリップ感が得られると共に、指先に十分な引っ掛かりが得られる。
【００２３】
又、図４(ｂ)に示す様に、表層部材(３)の表皮部(31)は、指Ｆの形状に応じて波状に屈曲変形するので、良好なフィット感が得られる。
【００２４】
一方、表層部材(３)の複数の凸部(32)が形成されていない領域では、表皮部(31)が発揮する弾性によって表層部材(３)が厚さ方向に圧縮変形するが、表皮部(31)の厚さは比較的小さいため、弾性変形量は比較的小さい。従って、この領域に手のひらが接触することにより、グリップ部(２)を安定的に把持することが可能となる。
【００２５】
本発明の他の実施形態であるデジタルカメラは、図５及び図６に示す如く、直方体状の機器本体(４)を具え、該機器本体(４)の端部をグリップ部(２)として把持することが出来る。
機器本体(４)のグリップ部(５)の前面には、エラストマー等の合成樹脂製の表層部材(６)が貼着固定されている。
【００２６】
表層部材(６)は、機器本体(４)の端部から中央部側へ向かって厚さが増大する略平板状を呈している。
該表層部材(６)においては、図７に示す如く、表皮部(61)の内面に、上下方向に並ぶ複数の空間部(63)が凹設されており、これによって、複数の空間部(63)の間に複数の凸部(62)が形成されている。
尚、複数の空間部(63)は、指１本の太さよりも小さなピッチで配列されている。
【００２７】
図５の如く表層部材(６)が貼着固定されたデジタルカメラにおいては、表層部材(６)の表面に複数本の指を添えて、グリップ部(５)を把持すると、表層部材(６)の表面が指で押圧され、表層部材(６)は、厚さが小さくなる方向に弾性変形する。
【００２８】
表層部材(６)の複数の空間部(63)が形成されている領域では、表皮部(61)が指先により押圧されて屈曲変形すると共に、複数の凸部(62)は指先からの押圧力を受けて、高さが低くなる方向に圧縮変形することになる。
【００２９】
従って、表層部材(６)の弾性変形は、表皮部(61)の屈曲変形と複数の凸部(62)の圧縮変形とが重畳し、特に表皮部(61)の屈曲変形量が比較的大きいために、表層部材(６)は、比較的大きさな弾性係数を有するエラストマーから形成した場合でも、グリップ部(５)の把持に応じて十分に弾性変形し、これによって良好なグリップ感が得られると共に、指先に十分な引っ掛かりが得られる。
【００３０】
一方、表層部材(６)の複数の空間部(63)が形成されていない領域では、表皮部(61)が発揮する弾性によって表層部材(６)が厚さ方向に圧縮変形するが、表皮部(61)の厚さは比較的小さいため、弾性変形量は比較的小さい。従って、この領域に指の内面が接触することにより、グリップ部(５)を安定的に把持することが可能となる。
【００３１】
図８は、更に他の表層部材(７)を示している。該表層部材(７)においては、表皮部(71)の内面に、複数の円柱状の凸部(72)が比較的高い密度で配列され、これによって複数の凸部(72)の間に複数の空間部(73)が形成されている。
該表層部材(７)が貼着固定されたデジタルカメラにおいても、同様に良好なグリップ感が得られる。
【００３２】
尚、本発明の各部構成は上記実施の形態に限らず、特許請求の範囲に記載の技術的範囲内で種々の変形が可能である。例えば、表層部材は、単一の材質から形成する構成に限らず、例えば弾性係数の異なる２種類のエラストマーを用いて二色成型により一体に形成することも可能である。
又、本発明は、デジタルカメラに限らず、ビデオカメラ等の種々の電子機器に実施することが出来る。
【符号の説明】
【００３３】
(１)  機器本体
(２)  グリップ部
(３)  表層部材
(31)  表皮部
(32)  凸部
(33)  空間部
(４)  機器本体
(５)  グリップ部
(６)  表層部材
(61)  表皮部
(62)  凸部
(63)  空間部
(７)  表層部材
(71)  表皮部
(72)  凸部
(73)  空間部
【図１】
2013250417.tif 000003
【図２】
2013250417.tif 000004
【図３】
2013250417.tif 000005
【図４】
2013250417.tif 000006
【図５】
2013250417.tif 000007
【図６】
2013250417.tif 000008
【図７】
2013250417.tif 000009
【図８】
2013250417.tif 000010